(57)【特許請求の範囲】
【請求項１】
ハウジング内に、制御回路基板ユニット、液晶パネル及びタッチパネルが、該タッチパネルが前記液晶パネルの上側に位置する配置とされて組み込んであり、且つ、前記タッチパネルの周囲部を覆うケースを有するタッチパネル装置であって、
前記制御回路基板ユニットより延在しているフレキシブルケーブルを有し、
前記タッチパネルは、上面に上面端子部を有するタッチパネル本体と、下面に下面端子部を有し、上面に外部接続用端子を有し、前記下面端子部と前記外部接続用端子とが配線パターンを介して電気的に接続してある構成であり、前記下面端子部を前記タッチパネル本体上の前記上面端子部と接続させて前記タッチパネル本体に接着してある外部接続用端子部材とを有し、前記外部接続用端子が前記タッチパネル本体の上面側に配置してある構成であり、
前記ケースが、前記フレキシブルケーブルの自由端側を、前記タッチパネルの上面に押し付けて、前記フレキシブルケーブルの自由端側の端子が前記タッチパネルの前記外部接続用端子に圧接接続された、タッチパネル装置。
【請求項２】
ハウジング内に、制御回路基板ユニット、液晶パネル及びタッチパネルが、該タッチパネルが前記液晶パネルの上側に位置する配置とされて組み込んであり、且つ、前記タッチパネルの周囲部を覆うケースを有するタッチパネル装置であって、
前記制御回路基板ユニットより延在しているフレキシブルケーブルを有し、
前記タッチパネルは、上面に上面端子部を有するタッチパネル本体と、下面に下面端子部を有し、上面に外部接続用端子を有し、前記下面端子部と前記外部接続用端子とが配線パターンを介して電気的に接続してあり、L字形状に折り曲げてある構成であり、前記下面端子部を前記タッチパネル本体上の前記上面端子部と接続させて該タッチパネル本体に接着してある外部接続用端子部材とを有し、前記外部接続用端子が前記タッチパネル本体の側端面に配置してある構成であり、
前記ハウジングは、前記タッチパネルを支持する段部及び立ち上げ壁を有し、
前記タッチパネルが、前記ハウジングの前記段部に支持されて前記側端面を立ち上げ壁に押し付けてあり、前記フレキシブルケーブルの自由端側の端子が前記タッチパネルの前記外部接続用端子に圧接接続された、タッチパネル装置。
【請求項３】
ハウジング内に、制御回路基板ユニット、液晶パネル及びタッチパネルが、該タッチパネルが前記液晶パネルの上側に位置する配置とされて組み込んであり、且つ、前記タッチパネルの周囲部を覆うケースを有するタッチパネル装置であって、
前記制御回路基板ユニットより延在しているフレキシブルケーブルを有し、
前記タッチパネルは、上面に上面端子部を有するタッチパネル本体と、下面に下面端子部を有し、上面に前記外部接続用端子を有し、前記下面端子部と前記外部接続用端子とが配線パターンを介して電気的に接続してあり、U字形状に折り曲げてある構成であり、前記下面端子部を前記タッチパネル本体上の前記上面端子部と接続させて該タッチパネル本体に接着してある外部接続用端子部材とを有し、前記外部接続用端子が前記タッチパネル本体の下面に配置してある構成であり、
前記ハウジングは、前記タッチパネルを支持する段部を有し、
前記タッチパネルが、前記ハウジングの前記段部に支持されて、前記段部によって、前記フレキシブルケーブルの自由端側の端子が前記タッチパネルの前記外部接続用端子に押し付けられて圧接接続されたタッチパネル装置。
【請求項４】
ハウジング内に、制御回路基板ユニット、液晶パネル及びタッチパネルが、該タッチパネルが前記液晶パネルの上側に位置する配置とされて組み込んであり、且つ、前記タッチパネルの周囲部を覆うケースを有するタッチパネル装置であって、
前記制御回路基板ユニットより延在しているフレキシブルケーブルを有し、
前記タッチパネルは、上面に上面端子部を有するタッチパネル本体と、下面に下面端子部を有し、上面に前記外部接続用端子を有し、前記下面端子部と前記外部接続用端子とが配線パターンを介して電気的に接続してあり、U字形状に折り曲げてある構成であり、前記下面端子部を前記タッチパネル本体上の前記上面端子部と接続させて該タッチパネル本体に接着してある外部接続用端子部材とを有し、前記外部接続用端子が前記タッチパネル本体の下面に配置してある構成であり、
前記タッチパネルが、前記液晶パネル上に支持されて、前記液晶パネルによって、前記フレキシブルケーブルの自由端側の端子が前記タッチパネルの前記外部接続用端子に押し付けられて圧接接続されたタッチパネル装置。
【請求項５】
前記タッチパネル本体は、前記外部接続用端子が設けてある側とは反対側の側端面より突き出したつまみ部を有する、請求項１乃至請求項４のうち何れか一項に記載のタッチパネル装置。
【発明の詳細な説明】
【０００１】
【発明の属する技術分野】
本発明はタッチパネル装置に係り、特に、パーソナルコンピュータ、ワードプロセッサ、電子手帳等において、表示面上に設けられて入力用に用いられるタッチパネル装置に関する。
【０００２】
【従来の技術】
従来のタッチパネル１０は、図１に示すように、タッチパネル本体１１から延長ケーブル１２が延びている構成である。延長ケーブル１２はフレキシブルケーブルであり、タッチパネル本体１１に接着してあり、先端に端子部１３が並んでいる。
【０００３】
このタッチパネル１０は、図２に示すように、情報通信機器２０内に組み込まれている。延長ケーブル１２の先端が制御回路基板ユニット２１のコネクタ２２に差し込まれて接続してある。タッチパネル本体１１は、液晶パネル２３の上面側に配置してあり、周囲をケース２４によって押えられている。
【０００４】
【発明が解決しようとする課題】
情報通信機器２０を組み立てるとき、及び、タッチパネル１０が故障してこれを交換するときに、作業者は、図３に示すように、一方の手３０でタッチパネル本体１１を掴んで支持しながら、他方の手３１で延長ケーブル１２の先端を摘んで延長ケーブル１２の先端をコネクタ２２に差し込む作業を行っている。この作業は面倒であり、情報通信機器２０の組み立て及び保守がしにくかった。
【０００５】
また、テーブル上に並んでいるタッチパネル１０を取り上げるときに、延長ケーブル１２を掴んで引き上げることが多く、このときに延長ケーブル１２がタッチパネル本体１１に接着してある部分１４に力がかかってこの部分を傷める虞れもあった。
【０００６】
そこで、本発明は上記の課題を解決したタッチパネル装置を提供することを目的とする。
【０００７】
【課題を解決するための手段】
本発明は、ハウジング内に、制御回路基板ユニット、液晶パネル及びタッチパネルが、該タッチパネルが前記液晶パネルの上側に位置する配置とされて組み込んであり、且つ、前記タッチパネルの周囲部を覆うケースを有するタッチパネル装置であって、
前記制御回路基板ユニットより延在しているフレキシブルケーブルを有し、
前記タッチパネルは、上面に端子を有するタッチパネル本体と、下面に端子部を有し、上面に外部接続用端子を有し、該端子部と該外部接続用端子とが配線パターンを介して電気的に接続してある構成であり、前記端子部を前記タッチパネル本体上の上記端子と接続させて該タッチパネル本体に接着してある外部接続用端子部材とを有し、前記外部接続用端子が前記タッチパネル本体の上面に配置してある構成であり、
前記ケースが、前記フレキシブルケーブルの自由端側を、前記タッチパネルの上面に押し付けて、前記フレキシブルケーブルの自由端側の端子が前記タッチパネルの前記外部接続用端子に圧接接続された構成としたものである。
【００１４】
【発明の実施の形態】
図４は本発明の第１実施例になるタッチパネル５０を示す。図５及び図６は図４に示すタッチパネル５０の一部を拡大して示す。
【００１５】
タッチパネル５０は、タッチパネル本体５１と、外部接続端子部材８０と、つまみ部材１１０とを有する。
【００１６】
タッチパネル本体５１は、図７に示すように、ガラス板（又はプラスチック板）５２の上面にフィルム５３がその周囲を両面テープ５４によって接着されている構成である。フィルム５３側が入力操作される面である。ガラス板５２には、電極パターン５５，５６がＸ１−Ｘ２方向上対向して形成してあり、フィルム５３には、電極パターン５７，５８がＹ１−Ｙ２方向上対向して形成してある。ガラス板５２の上面には、Ｘ２側の縁５９の近傍の部分６０に４つの端子部６１〜６４がＹ１−Ｙ２方向に並んで形成してあり、且つ、電極パターン５５，５６から夫々端子部６１、６２に到る配線パターン６５，６６、及び電極パターン５７，５８から夫々端子部６３、６４に到る配線パターン６７，６８が形成してある。配線パターン６５〜６８は絶縁膜によって覆われている。端子部６１〜６４はＡｇを印刷して形成したものであり、Ａｇ製であり、酸化し易く、保護する必要がある。
【００１７】
外部接続端子部材８０は、一般のフレキシブルケーブルと同じ構造であり、形状は長方形であり、図６に示すように、下側ポリエチレンテレタレート（ＰＥＴ）フィルム８１と上側ＰＥＴフィルム８２との間に、Ｃｕの配線パターン８３〜８６が形成してあり、且つ、各ＰＥＴフィルム８１、８２に夫々ビア８７，８８が形成してあり、下側ＰＥＴフィルム８１の下面に端子部８９〜９２が形成してあり、上側ＰＥＴフィルム８２の上面に外部接続用端子９３〜９６が形成してある。端子部８９〜９２は前記の端子部６１〜６４に対応する配置である。外部接続用端子９３〜９６は、Ｙ１側に二つ、Ｙ２側に二つ配置してある。端子部８９〜９２と外部接続用端子９３〜９６とが配線パターン８３〜８６及びビア８７，８８を介して電気的に接続されている。外部接続用端子９３〜９６及び端子部８９〜９２は半田メッキ製であり、酸化し難い。
【００１８】
上記構造の外部接続端子部材８０は、ガラス板５２の上面のうち符号６０で示す部分に位置を合わせて、導電性接着剤１００によって接着してあり、端子部８９〜９２が夫々端子部６１〜６４と電気的に接続してある。
【００１９】
半田メッキ製の外部接続用端子９３〜９６は、タッチパネル５０の輪郭の内側であって、縁５９の近傍の場所にＹ１−Ｙ２方向に並んで配置されている。
【００２０】
図４に示すように、つまみ部材１１０は、フィルム状の小片であり、タッチパネル本体５１のＸ２側とＹ２側とが形成するコーナ部１１１の近くに接着してあり、タッチパネル本体５１からＹ２方向に突き出している。つまみ部材１１０のタッチパネル本体５１への接着力はつまみ部材１１０を強く引っ張ると剥離する程度としてある。
【００２１】
次に、上記構成のタッチパネル５０のタッチパネル装置としての情報通信機器１２０への組み込み状態について、図７を参照して説明する。
【００２２】
１２１は液晶パネル、１２２は制御回路基板ユニット、１２３はケース、１２４はフレキシブルケーブルである。
【００２３】
フレキシブルケーブル１２４は、その一端を制御回路基板ユニット１２２上のコネクタ１２５に挿入されて接続してある。フレキシブルケーブル１２４の自由端側部１２６は、図５に示すように、外部接続端子部材８０に対応する寸法形状であり、端子部１２７〜１３０が外部接続用端子９３〜９６に対応するように配置してある構成である。
【００２４】
ケース１２３のうち外部接続端子部材８０に対応する部位には、ゴム、スポンジ等のシール部材１３１が接着してある。
【００２５】
情報通信機器１２０は、図７に示すように、フレキシブルケーブル１２４の一端をコネクタ１２５に予め接続しておき、タッチパネル５０を液晶パネル１２１の上側にセットし、コネクタ１２５から延びているフレキシブルケーブル１２４の自由端側部１２６を外部接続端子部材８０を覆うように位置決めし、ケース１２３を上側から被せるように取り付けることによって組み立てられる。
【００２６】
ケース１２３を上側から被せるように取り付けると、フレキシブルケーブル１２４の自由端側部１２６がタッチパネル５０とシール部材１３１との間に挟まれ、シール部材１３１が圧縮されて、シール部材１３１自体の弾性力Ｆによって自由端側部１２６がタッチパネル５０の上面に押し付けられ、端子部１２７〜１３０が外部接続用端子９３〜９６と圧接接続される。
【００２７】
上記のように、タッチパネル５０をその外部接続用端子９３〜９６をタッチパネル５０の輪郭の内側に有する構成とし、フレキシブルケーブル１２４の一端をコネクタ１２５に予め接続しておき、フレキシブルケーブル１２４の自由端部１２６と外部接続用端子９３〜９６とを圧接接続した構成とすることによって、情報通信機器１２０は図３に示す従来に比べて作業性良く組み立てられる。
【００２８】
また、ケース１２３を取り外すと、フレキシブルケーブル１２４の自由端部１２６は押さえ付けを解放されてフリーとなって、端子部１２７〜１３０と外部接続用端子９３〜９６との圧接接続が解除される。よって、情報通信機器２０内のタッチパネル５０が壊れてこれを新しいタッチパネルに交換する保守作業も作業性良く行われる。
【００２９】
また、テーブル上に並んでいるタッチパネル５０を取り上げるときに、作業者は手の指先でつまみ部材１１０を摘んで引き上げ、タッチパネル５０の端をテーブルから少し浮かすことによって、作業者は手でタッチパネル５０をしっかり掴むことが出来る。よって、テーブル上に並んでいるタッチパネル５０の取り扱いが容易となる。つまみ部材１１０を摘んで引き上げても、傷む場所はない。
【００３０】
必要に応じて、タッチパネル５０を液晶パネル１２１の上側にセットしたのちに、つまみ部材１１０を剥離させることも出来る。つまみ部材１１０を剥離させると、つまみ部材１１０が邪魔となることもない。
【００３１】
次に、外部接続用端子に関する別の実施例について説明する。
【００３２】
図８は本発明の第２実施例のタッチパネル５０Ａを示す。外部接続端子部材８０Ａは、基本的には図５及び図６に示す外部接続端子部材８０と同じであり、Ｌ字形状に折り曲げられ形成されたフラップ部８０Ａａに外部接続用端子９３Ａ〜９６Ａが並んで配置してある。外部接続端子部材８０Ａは、導電性接着剤によってタッチパネル本体５１に接着してあり、端子部８９〜９２が夫々端子部６１〜６４と電気的に接続してあり、フラップ部８０Ａａがガラス板（プラスチック板）５２のＸ１側の側端面１４０に接着してある。外部接続用端子９３Ａ〜９６Ａは、ガラス板５２の側端面１４０にＹ１−Ｙ２方向に並んで配置されている。
【００３３】
このタッチパネル５０Ａに対応して、情報通信機器２０Ａは、図９及び図１０に示すように、タッチパネル５０Ａがセットされるハウジング１５０の段部１５１の立ち上げ壁１５２に、フレキシブルケーブル１２４Ａの自由端側部１２６Ａが固定されている構成としてある。
【００３４】
図９に示すように、タッチパネル５０Ａを枠状の段部１５１に支持するように置いて、必要に応じて立ち上げ壁１５２に押し付けることによって、外部接続用端子９３Ａ〜９６Ａがフレキシブルケーブル１２４Ａの自由端側部１２６Ａの端子と圧接接続される。即ち、タッチパネル５０Ａを情報通信機器２０Ａ内に組み込む作業を行うと、その作業の過程で外部接続用端子９３Ａ〜９６Ａがフレキシブルケーブル１２４Ａと電気的に接続される。
【００３５】
なお、フレキシブルケーブル１２４Ａに代えて、ハウジング１５０の表面に導体パターンを形成してもよい。
【００３６】
図１１及び図１２は本発明の第３実施例のタッチパネル５０Ｂを示す。外部接続端子部材８０Ｂは、Ｕ字形状に折り曲げられており、折り返されているフラップ部８０Ｂａに外部接続用端子９３Ｂ〜９６Ｂが並んで配置してある。外部接続端子部材８０Ｂは、タッチパネル本体５１のＸ１側の縁を部分を包むようにして、導電性接着剤によってタッチパネル本体５１に接着してあり、端子部８９〜９２が夫々端子部６１〜６４と電気的に接続してある。フラップ部８０Ｂａはガラス板（プラスチック板）５２の下面１４１に接着してあり、外部接続用端子９３Ｂ〜９６Ｂは、ガラス板５２のＸ２側の下面にＹ１−Ｙ２方向に並んで配置されている。
【００３７】
このタッチパネル５０Ｂに対応して、情報通信機器２０Ｂは、図１３及び図１４に示すように、タッチパネル５０Ｂがセットされるハウジング１５０の段部１５１に、フレキシブルケーブル１２４Ｂの自由端側部１２６Ｂが固定されている構成としてある。
【００３８】
タッチパネル５０Ｂを枠状の段部１５１に支持するように置くことによって、外部接続用端子９３Ｂ〜９６Ｂがフレキシブルケーブル１２４Ｂの自由端側部１２６Ｂの端子と接触される。ケース１２３を取り付けると、シール部材１３１がタッチパネル５０Ｂを押して、外部接続用端子９３Ｂ〜９６Ｂがフレキシブルケーブル１２４Ｂの端子と圧接接続される。即ち、タッチパネル５０Ｂを情報通信機器２０Ｂ内に組み込み、ケース１２３を取り付ける作業を行うと、その作業の過程で外部接続用端子９３Ｂ〜９６Ｂがフレキシブルケーブル１２４Ｂと電気的に圧接接続される。
【００３９】
なお、フレキシブルケーブル１２４Ｂに代えて、ハウジング１５０の表面に導体パターンを形成してもよい。
【００４０】
また、図１５に示すように、フレキシブルケーブル１２４Ｂの端を液晶パネル１２１の上面にセットしておき、タッチパネル５０Ｂを液晶パネル１２１の上に組み込んだ状態で、外部接続用端子９３Ｂ〜９６Ｂがフレキシブルケーブル１２４Ｂと電気的に圧接接続されるようにしてもよい。
【００４１】
次に、つまみ部材に関する別の実施例について説明する。
【００４２】
図１６（Ａ）、（Ｂ）は本発明の第４実施例のタッチパネル５０Ｃの一部を示す。つまみ部材１１０Ｃは、ガラス板５２の下面に貼ってあり、Ｙ２方向に突き出ている。図１６（Ｂ）に示すように、ガラス板５２のうちつまみ部材１１０Ｄの個所はテーブル２００から少し浮いており、指先がガラス板５２の側端面に引っ掛り易くなっている。よって、テーブル２００上に並んでいるタッチパネル５０Ｃを引き上げて掴む操作がし易い。
【００４３】
図１７（Ａ）、（Ｂ）は本発明の第５実施例のタッチパネル５０Ｄの一部を示す。つまみ部材１１０Ｄは、先端に上方向に曲げられたつまみ部１１０Ｄａを有しており、Ｌ字形状を有しており、ガラス板５２の下面に貼ってあり、Ｙ２方向に突き出ている。指先でつまみ部１１０Ｄａを摘んで引き上げることによって、タッチパネル５０Ｃはテーブル２００から引き上げられ、タッチパネル５０Ｃを掴む操作がし易い。
【００４４】
図１８は本発明の第６実施例のタッチパネル５０Ｅの一部を示す。つまみ部材１１０Ｅは、ガラス板５２の側端面１４０に接着して設けてあり、Ｙ２方向に突き出ている。つまみ部材１１０Ｅは、タッチパネル５０Ｅの厚さを増やさない。
【００４５】
図１９は本発明の第７実施例のタッチパネル５０Ｆの一部を示す。つまみ部１１０Ｆは、フィルム５３の一部に形成してある突起部によって形成してある。つまみ部１１０Ｅは、専用の部材を使用しないで、且つタッチパネル５０Ｆの厚さを増やさないで形成してある。
【００４６】
図２０（Ａ），（Ｂ），（Ｃ）は本発明の第８実施例のタッチパネル５０Ｇを示す。タッチパネル５０Ｇは、ガラス板５２の下面にアイコンシート１６０が接着してある構成である。つまみ部１１０Ｇは、アイコンシート１６０の一部に形成してある突起部によって形成してある。つまみ部１１０Ｇは、専用の部材を使用しないで、且つタッチパネル５０Ｇの厚さを増やさないで形成してある。
【００４７】
図２１（Ａ），（Ｂ），（Ｃ）は本発明の第９実施例のタッチパネル５０Ｈを示す。タッチパネル５０Ｈは、ガラス板５２の下面にアイコンシート１６０が接着してある構成である。つまみ部１１０Ｈは、アイコンシート１６０の剥離紙１７０の一部に形成してある突起部によって形成してある。
【００４８】
タッチパネル５０Ｈを情報通信機器に組み込む直前で剥離紙１７０を剥離すると、つまみ部１１０Ｈは除去される。
【００４９】
【発明の効果】
以上説明したように、本発明は、ハウジング内に、制御回路基板ユニット、液晶パネル、タッチパネルが、該タッチパネルが前記液晶パネルの上側に位置する配置とされて組み込んであり、且つ、タッチパネルの周囲部を覆うケースを有するタッチパネル装置であって、前記タッチパネルは、タッチパネル本体の輪郭の内側に外部接続用端子を有する構成であり、前記制御回路基板ユニットより延在しているフレキシブルケーブルの自由端側の端子と前記タッチパネルの前記外部接続用端子とが圧接接続してある構成であるため、タッチパネル装置をタッチパネルの組み込みを行う作業及びタッチパネルを交換する保守作業が共にし易い構造に出来る。
【図面の簡単な説明】
【図１】従来のタッチパネルを示す図である。
【図２】図１のタッチパネルを有する情報通信機器の一部の断面図である。
【図３】図１のタッチパネルの組み付けを説明するための図である。
【図４】本発明の第１実施例のタッチパネルの平面図である。
【図５】図４のタッチパネルの一部を示す図である。
【図６】図５中、VI-VI線に沿う拡大断面図である。
【図７】図４のタッチパネルを有する情報通信機器の一部の断面図である。
【図８】本発明の第２実施例のタッチパネルの一部を示す図である。
【図９】図８のタッチパネルを有する情報通信機器の一部の断面図である。
【図１０】図９中、矢印Ｘ方向から見た斜視図である。
【図１１】本発明の第３実施例のタッチパネルの一部を示す図である。
【図１２】図１１のタッチパネルを下面側からみて示す図である。
【図１３】図１１及び図１２のタッチパネルを有する情報通信機器の一部の断面図である。
【図１４】図１３中、矢印XIV方向から見た斜視図である。
【図１５】図１１及び図１２のタッチパネルを有する別の情報通信機器の一部の断面図である。
【図１６】本発明の第４実施例のタッチパネルの一部を示す図である。
【図１７】本発明の第５実施例のタッチパネルの一部を示す図である。
【図１８】本発明の第６実施例のタッチパネルの一部を示す図である。
【図１９】本発明の第７実施例のタッチパネルの一部を示す図である。
【図２０】本発明の第８実施例のタッチパネルを示す図である。
【図２１】本発明の第９実施例のタッチパネルを示す図である。
【符号の説明】
５０、５０Ａ〜５０Ｇ  タッチパネル
５１  タッチパネル本体
５２  ガラス板
５３  フィルム
６１〜６４  Ａｇ製端子部
８０，８０Ａ，８０Ｂ  外部接続端子部材
８９〜９２  半田メッキ製の端子部
９３〜９６  半田メッキ製の外部接続用端子
１１０、１１０Ｃ〜１１０Ｅ  つまみ部材
１１０Ｆ〜１１０Ｈ  つまみ部
１２０、１２０Ａ、１２０Ｂ  情報通信機器
１２１  液晶パネル
１２２  制御回路基板ユニット
１２３  ケース
１２４  フレキシブルケーブル
１２７〜１３０  端子部
【図１】
0004171277.tif 000002
【図２】
0004171277.tif 000003
【図３】
0004171277.tif 000004
【図４】
0004171277.tif 000005
【図５】
0004171277.tif 000006
【図６】
0004171277.tif 000007
【図７】
0004171277.tif 000008
【図８】
0004171277.tif 000009
【図９】
0004171277.tif 000010
【図１０】
0004171277.tif 000011
【図１１】
0004171277.tif 000012
【図１２】
0004171277.tif 000013
【図１３】
0004171277.tif 000014
【図１４】
0004171277.tif 000015
【図１５】
0004171277.tif 000016
【図１６】
0004171277.tif 000017
【図１７】
0004171277.tif 000018
【図１８】
0004171277.tif 000019
【図１９】
0004171277.tif 000020
【図２０】
0004171277.tif 000021
【図２１】
0004171277.tif 000022